(57)【要約】【課題】デジタルＯＳＤとアナログＯＳＤとの間に、輝度情報、色情報、位置情報などの差異を生じさせずに、テレビ画像の調整を可能とするデジタル放送受信装置を提供する。【解決手段】放送網からの信号を受信し、映像信号と文字図形信号を出力させる第１及び第２の放送信号受信手段（１，２）と、前記第１及び第２の放送信号受信手段をそれぞれ制御する第１及び第２の制御手段（７ａ，７ｂ）と、前記第２の放送信号受信手段において処理を施す処理情報を、前記第１の制御手段にシステムバス（１１）を介して通知することにより、前記第２の放送信号受信手段において前記処理を相殺するようにした。【選択図】  図１
2005020649.tif 000002
【特許請求の範囲】
【請求項１】
放送受信装置であって、互いに異なる放送信号を受信して処理する少なくとも２つの受信処理系統を有し、該各受信処理系統は、それぞれ受信放送信号の画像に文字画像情報を付加して表示するための画面合成処理部を含み、
前記各受信処理系統は、前記画像または文字画像情報の表示に関する制御情報を互いに通信し、該制御情報に基づきそれぞれ文字画像情報の表示を制御可能に構成されることを特徴とする放送受信装置。
【請求項２】
放送受信装置であって、
第１の放送信号を受信する受信部と、第１の文字画像情報を生成する第１のＯＳＤ回路と、前記第１の放送信号の画像と前記第１の文字画像情報とを合成処理する第１の画面合成処理部とを有する第１の放送受信装置部と、
第２の放送信号を受信する受信部と、第２の文字画像情報を生成する第２のＯＳＤ回路と、前記第２の放送信号の画像と前記第２の文字画像情報とを合成処理する第２の画面合成処理部とを有する第２の放送受信装置部と、を備え、
前記第１の放送受信装置部と第２の放送受信装置部は、前記画像または文字画像情報の画質に関する制御情報を互いに通信し、該制御情報に基づきそれぞれ前記文字画像情報の画質を補正可能に構成されることを特徴とする放送受信装置。
【請求項３】
放送受信装置であって、
放送信号を受信し、該受信放送信号に基づく映像信号と文字図形信号を出力させる第１及び第２の放送受信装置部と、
前記第１の放送信号受信装置部を制御する第１の制御手段と、
前記第２の放送信号受信装置部を制御する第２の制御手段と、
前記第１及び第２の制御手段の間で通信を行う通信手段と、を備え、
前記第２の放送信号受信装置部において処理を施す処理情報を、前記第２の制御手段から前記通信手段を介して前記第１の制御手段に通知し、前記第２の放送信号受信装置部において前記処理を相殺する処理を施す調整手段と、を備えてなることを特徴とする放送受信装置。
【請求項４】
前記第１の放送信号受信装置部は、
放送信号を受信して映像信号を出力する第１の受信部と、
該第１の受信部から供給される映像信号に対して、輝度情報、色情報、位置情報の内、少なくとも一つの処理を施す第１の信号処理手段と、
前記文字図形信号に対して輝度情報、色情報、位置情報の内、少なくとも一つの処理を施す第２の信号処理手段と、
前記第１の信号処理手段により処理された信号と前記第２の信号処理手段により処理された信号とを合成する第１の合成手段とを備え、
前記第１の制御手段が、前記第１の受信部と前記第１及び第２の信号処理手段と前記第１の合成手段とを制御し、前記第２の信号処理手段に文字図形データを供給することを特徴とする請求項３に記載の放送受信装置。
【請求項５】
前記第２の放送信号受信手段は、
放送信号を受信して映像信号を出力する第２の受信部と、
該第２の受信部より供給される映像信号と前記第１の放送信号受信装置部から供給される映像信号の内、一つを選択する選択手段と、前記選択手段により選択された信号に対して、輝度情報、色情報、位置情報の内、少なくとも一つの処理を施す第３の信号処理手段と、
前記文字図形信号に対して輝度情報、色情報、位置情報の内、少なくとも一つの処理を施す第４の信号処理手段と、前記第３の信号処理手段により処理された信号と前記第４の信号処理手段により処理された信号とを合成する第２の合成手段とを備え、
前記第２の制御手段が、前記第２の受信手段と前記第３及び第４の信号処理手段と前記第２の合成手段とを制御し、前記第４の信号処理手段に文字図形データを供給する特徴とする請求項４に記載の放送受信装置。
【請求項６】
前記第２の制御手段から前記通信手段を介して前記第１の制御手段に通知される処理情報は、前記第３の信号処理手段で処理される情報を含むことを特徴とする請求項５に記載の放送受信装置。
【請求項７】
前記調整手段は、前記第２の制御手段から前記通信手段を介して前記第１の制御手段に通知される処理情報に基づき、第２の信号処理手段において処理を施すことを特徴とする請求項５または６に記載の放送受信装置。
【請求項８】
前記第１の受信手段は、放送網から受信した信号から所望の物理チャンネルの信号を抽出するチューナ手段と、デジタル復調及び、誤り訂正処理を施す伝送路復調処理手段と、符号化された映像／音声信号および番組関連情報等が多重化された信号について分離処理を施す多重分離処理手段と、符号化映像／音声信号の復号処理を施す復号処理手段と、を備え、デジタル放送を受信することを特徴とする請求項５に記載の放送受信装置。
【請求項９】
前記第２の受信手段は、放送網から受信した信号から所望の物理チャンネルの信号を抽出するチューナ手段と、ＮＴＳＣ信号の復調処理を施す復調手段とを備え、アナログ放送を受信することを特徴とする請求項３に記載の放送受信装置。
【発明の詳細な説明】
【０００１】
【発明の属する技術分野】
本発明は、放送信号受信装置に関し、特に、ＯＳＤに対して、輝度情報、色情報、位置情報などの影響を及ぼさずに、テレビ画像の調整を可能とする放送信号受信装置に関する。
【０００２】
【従来の技術】
近年のデジタル変復調技術及び映像・音声などの高能率圧縮化技術の発展に伴い、テレビ放送のアナログ方式からデジタル方式への移行が世界的に推進されている。日本においても、まずＣＳデジタル放送が開始され、次いで、ＢＳデジタル放送が開始された。また、地上波放送もデジタル方式に移行される予定であり、各種伝送方式を用いた放送が、現状のアナログ方式からデジタル方式へと移行されている。
【０００３】
一般的なデジタル放送受信装置ではＥＰＧ（Ｅｌｅｃｔｒｉｃ  Ｐｒｏｇｒａｍ  Ｇｕｉｄｅ）と呼ばれる番組情報表示、映像設定或いは音声設定などの設定画面表示、インターネットや電子メールなどで配信されるコンテンツ表示、及び／または外部メモリなどに蓄積された画像などの文字・図形画像（以下、これらをまとめてＯＳＤ［Ｏｎ  Ｓｃｒｅｅｎ  Ｄｉｓｐｌａｙ］という）が、受信されたテレビジョン放送信号に基づく画像（以下、テレビ画像という）と同時または個別に表示される。
【０００４】
テレビ画像とＯＳＤの表示制御（例えば、輝度情報、色情報、位置情報などの制御）については、例えば下記特許文献１〜３に記載されている。これらの特許文献では、テレビ画像と文字や図形画像とを合成した後の画像信号に対して画像合成タイミングを指定し、該指定した画像合成タイミングで画像信号の振幅レベルや直流レベルを制御することで、画像表示装置の画面上に表示されるテレビ画増と文字や図形画像との輝度レベルを別々に制御することができるとあり、テレビ画像は明るくきれいに表示され、文字や図形画像は低輝度で読み易くまた見易く表示されるとされている。
【０００５】
【特許文献１】
特開平８−２５１５０３号公報（第４−６頁、第１図）
【特許文献２】
特開平９−３０７８１０号公報（第４−７頁、第１図）
【特許文献３】
特開平１０−２１４０７６号公報（第２−４頁、第１図）
【０００６】
【発明が解決しようとする課題】
アナログ放送からデジタル放送への移行期において、受信装置は、アナログ放送とデジタル放送の両者を受信できる機能を有するために、従来のアナログ放送受信装置に独立したデジタル放送受信装置を付加した構成とする場合が多い。この場合、デジタル放送受信装置とアナログ放送受信装置はそれぞれ、テレビ画像の輝度・色情報等を処理する画像処理部、ＯＳＤ作成部、及び処理されたテレビ画像とＯＳＤを合成する合成部とを有する。
【０００７】
デジタル放送受信装置の出力信号には受信したデジタルテレビ画像とデジタルＯＳＤが合成された信号を含み、デジタルテレビ画像とデジタルＯＳＤの輝度情報、色情報、位置情報などは、最適な表示となるように調整されている。上記のような構成の受信装置では、デジタル放送受信装置の出力信号はアナログ放送受信装置の画像処理部に入力され、輝度・色情報等の処理を受けることになる。
【０００８】
また、アナログ放送受信装置は映像表示設定や音声出力設定などの設定項目表示、番組情報などを含むバナー表示及びメッセージ表示等のアナログＯＳＤ作成機能を有し、アナログテレビ画像とアナログＯＳＤの輝度情報、色情報、位置情報などは、最適な表示となるように調整されている。
【０００９】
この構成のデジタル放送受信装置において、アナログＯＳＤの表示設定を変化させずにアナログ画像処理部で表示設定を変更した場合、デジタル放送受信装置から入力される合成信号にも画像処理が施されるため、合成信号に含まれるデジタルＯＳＤにも影響が及びアナログＯＳＤとデジタルＯＳＤとの間で差異が生じてしまう。この場合、例えばデジタルＯＳＤの設定された所望のものよりも輝度が低くなり、デジタルＯＳＤが見づらくなるという現象が生じる。
【００１０】
また、デジタル放送受信装置を制御するＣＰＵからアナログ放送受信装置を制御するＣＰＵへ、デジタルＯＳＤに使用されるデータを送信することも可能であるが、デジタルＯＳＤを表示させるごとにデータ送信を行うことになり、ＣＰＵへの負担増加となる。
【００１１】
本発明はこのような状況を鑑みて為されたものであり、その目的は、ＯＳＤの表示を見やすくしたほう送受信装置を提供することにある。具体的には、本発明は、２系統の放送信号の受信処理部（例えばデジタル放送受信処理部、アナログ放送受信処理部）を備えたものにおいて、それぞれの系統において生成されるデジタルＯＳＤとアナログＯＳＤとの間に、輝度情報、色情報、位置情報などの差異を生じさせずに、デジタル及びアナログテレビ画像の調整を可能とする放送受信装置を提供するものである。
【００１２】
【課題を解決するための手段】
上記本発明の目的を達成するための、本発明にかかるほう送受信装置は、互いに異なる放送信号（例えばアナログテレビジョン信号及びデジタルテレビジョン放送信号）を受信して処理する少なくとも２つの受信処理系統を有し、該各受信処理系統は、それぞれ受信放送信号に文字画像情報を付加して表示するための画面合成処理部を含み、更に各受信処理系統は、前記画像または文字画像情報の表示に関する制御情報を互いに通信し、該制御情報に基づきそれぞれ文字画像情報の表示を制御可能に構成されることを特徴とするものである。
【００１３】
より具体的には、受信放送信号による映像信号と文字図形信号に信号処理を施し、前記映像信号と文字図形信号を合成して出力させる第１及び第２の放送信号受信装置部と、前記第１の放送信号受信装置部を制御する第１の制御手段と、前記第２の放送信号受信装置部を制御する第２の制御手段と、前記第１及び第２の制御手段の間で通信を行う通信手段とを備え、前記第２の放送信号受信手段において処理を施す処理情報を、前記第２の制御手段から前記通信手段を介して前記第１の制御手段に通知し、前記第２の放送信号受信手段において前記処理情報を相殺する処理を施すようにしている。
【００１４】
この放送受信装置により、デジタルＯＳＤとアナログＯＳＤとの間に、輝度情報、色情報、位置情報などの差異を生じさせずに、テレビ画像を調整することができる。
【００１５】
【発明の実施の形態】
以下、図面を用いて本発明の実施の形態を詳細に説明する。図１は、本発明に係る放送受信装置の一実施形態を示すブロック図であり、互いに異なる放送信号を受信、処理するための第１の放送受信装置部１及び第２の放送受信装置部の、２系統の受信処理部２を備えている。
【００１６】
図１の第１の放送受信装置部１は、デジタルテレビジョン放送信号、アナログテレビジョン放送信号等の互いに放送方式が異なる放送信号の１つを受信及び処理するものである。第１の放送受信装置部１は、受信部３ａ、ビデオ信号処理部４ａ、第１のＯＳＤ回路であるグラフィックス信号処理部５ａ、画面合成処理部６ａを備えており、これら構成要素は、システムバス８ａにより互いに接続され、該システムバス８ａを介して制御部７ａにより制御される。
【００１７】
一方、第２の放送受信装置部２は、上記第１の放送受信装置部１とは異なる放送方式の信号を受信及び処理するものであり、受信部３ｂ、ビデオ信号処理部４ｂ、第２のＯＳＤ回路であるグラフィックス信号処理部５ｂ、画面合成処理部６ｂを備えている。これらの構成要素は、システムバス８ｂで互いに接続され、システムバス８ｂを介して制御部７ｂにより制御される。また、第１の放送受信装置部１における制御部７ａと、第２の放送受信装置部２における制御部７ｂとは、制御部間通信バス１１で互いの接続されており、第１の放送受信装置部１と第２の放送受信装置部２との間で、情報（テレビ画像、ＯＳＤの輝度、色、位置などの表示に関する制御情報）を相互に通信することが可能なように構成されている。
【００１８】
本実施形態における放送受信装置は、図１に示すように、放送網からの受信信号が放送受信装置部１の受信部３ａ、および放送受信装置部２の受信部３ｂに入力される。第１の放送受信装置部１において、受信部３ａは、放送網からの信号に対して、選局処理、検波処理、及び放送方式に応じた信号処理を施し、映像信号、音声信号、及び番組関連情報等のデータを出力する。番組関連情報等のデータは制御部７ａに設置されているメモリの専用領域に取り込まれ、映像信号はビデオ信号処理部４ａに供給される。また、図１では特に図示していないが、受信部３ａより出力される音声信号は、音声処理部で必要な処理を施しスピーカなどへ出力することが可能である。ビデオ信号処理部４ａは映像信号に対して、輝度情報、色情報、位置情報などの調整処理を施し、処理された映像信号は画像合成処理部６ａに供給される。グラフィックス信号処理部５ａには、制御部７ｂが生成する文字図形信号、すなわちＯＳＤ（例えば、番組ガイド情報などの番組関連情報、ＥＰＧ、電子メール或いはインターネットブラウザ、映像表示設定や音声出力設定などの設定項目表示、番組情報などを含むバナー表示及びメッセージ表示等）が、システムバス８ａを介して供給される。グラフィックス信号処理部５ａは、制御部７ａより供給された文字図形信号に輝度情報、色情報、位置情報などの調整処理を施し、処理された文字図形信号は画面合成処理部６ａに供給される。画面合成処理部６ａは、供給された映像信号と文字図形信号との合成処理を行い、処理された合成信号は放送受信装置部１の出力として放送受信装置部２のスイッチ９に供給される。
【００１９】
第２の放送受信装置部２において、受信部３ｂは、放送網からの信号に対して、選局処理、検波処理、及び放送方式に応じた信号処理を施し、映像信号、音声信号、及び番組関連情報等のデータを出力する。番組関連情報等のデータは制御部７ｂに設置されているメモリの専用領域に取り込まれ、映像信号はスイッチ９に供給される。スイッチ９は放送受信装置部１の画面合成処理部６ａより供給される合成信号と、受信部３ｂから供給された映像信号を選択することができる。この選択は制御部７ｂにより制御される。選択された信号はビデオ処理部４ｂに供給される。また、図１では特に図示していないが、受信部３ｂより出力される音声信号は、音声処理部で必要な処理を施しスピーカなどへ出力することが可能である。ビデオ信号処理部４ｂは映像信号に対して、輝度情報、色情報、位置情報などの調整処理を施し、処理された映像信号は画像合成処理部６ｂに供給される。グラフィックス信号処理部５ａには、制御部７ｂが生成する文字図形信号（例えば、番組ガイド情報などの番組関連情報、ＥＰＧ、電子メール或いはインターネットブラウザ、映像表示設定や音声出力設定などの設定項目表示、番組情報などを含むバナー表示及びメッセージ表示等）が、システムバス８ｂを介して供給される。グラフィックス信号処理部５ｂは、制御部７ｂより供給された文字図形信号に輝度情報、色情報、位置情報などの調整処理を施し、処理された文字図形信号は画面合成処理部６ｂに供給される。画面合成処理部６ｂは、供給された映像信号と文字図形信号との合成処理を行い、処理された合成信号は表示装置１０に供給される。表示装置１０は、ＣＲＴディスプレイ、液晶ディスプレイ、プラズマディスプレイ及び、有機ＥＬディスプレイなどの表示デバイスである。
【００２０】
ビデオ信号処理部４ａ及び４ｂとグラフィックス信号処理部５ａ及び５ｂにおいて輝度調整処理を施す場合、供給された映像信号或いは文字図形信号の輝度信号に対して、輝度調整係数を乗じて出力する。
【００２１】
図２は本実施例において、ビデオ信号処理部４ａ及び４ｂに供給される映像信号の輝度の例を示す図である。３０１は水平走査期間、３０２は水平帰線期間、３０３は水平同期信号、３０４は輝度を示している。本映像信号は輝度が左から右へ段階的に低くなる映像信号、例えばカラーバーなどの映像信号である。
【００２２】
以下、図３乃至図７を用いて、本実施例においてテレビ画像の輝度調整を行う際の具体的な動作例を説明する。
【００２３】
図３乃至図７は、本実施例において、図２で示した映像信号に対してＯＳＤが合成されたＯＳＤ合成輝度信号であり、３０５は放送受信装置部１のグラフィックス信号処理部５ａより供給されるＯＳＤの第１ＯＳＤ期間、３０６は放送受信装置部２のグラフィックス信号処理部４ｂより供給されるＯＳＤの第２ＯＳＤ期間である。第１ＯＳＤ３０５は制御部７ａにより生成され、グラフィックス信号処理部５ａに供給される。また、第２ＯＳＤ３０６は制御部７ｂにより生成され、グラフィックス信号処理部５ｂに供給される。
【００２４】
本実施例では、放送受信装置部１におけるビデオ信号処理部４ａでの輝度調整係数を１、グラフィックス信号処理部５ａでの輝度調整係数を１とする。この時、制御部７ａにより輝度０．５の文字図形データが生成され、グラフィックス信号処理部５ａに供給された場合、画面合成処理部６ａより出力される第１ＯＳＤ第１合成輝度信号は図３のようになる。
【００２５】
また、本実施例では、放送受信装置部２におけるビデオ信号処理部４ｂでの輝度調整係数を０．７５、グラフィックス信号処理部２０６での輝度調整係数を１とする。これは、放送受信装置部２における映像出力設定などによりＯＳＤの輝度を変えずに映像信号の輝度を低く設定ずる場合を想定している。この時、制御部７ｂにより輝度０．５の文字図形データが生成され、グラフィックス信号処理部５ｂに供給された場合、画面合成処理部６ｂより出力される第２ＯＳＤ第１合成輝度信号は図４のようになる。
【００２６】
上記の輝度調整係数の設定において、放送受信装置１で受信したテレビ画像を視聴した場合を想定する。画面合成処理部６ａからスイッチ９を介してビデオ信号処理部４ｂに供給された第１ＯＳＤ第１合成出力は、輝度調整係数０．７５を乗じることにより、図５に示すような補正無し第１ＯＳＤ第２合成輝度信号となる。本図に示すように、第１ＯＳＤ表示期間３０５の輝度は０．５×０．７５と、第２ＯＳＤ表示期間３０６の輝度０．５よりも低くなってしまい、放送受信装置１による視聴と放送受信装置２による視聴を切り換えた場合に違和感を生じる。
【００２７】
そこで、本発明による放送受信装置では、第２の放送受信装置部２のビデオ信号処理部５ｂで設定した輝度調整係数の逆数を、制御部７ｂから制御部間通信バス１１を介して制御部７ａへ通知し、グラフィックス信号処理部５ａの輝度調整係数に乗じる。即ち、グラフィックス信号処理部５ａの輝度調整係数を０．５×１／０．７５とする。これによって、第２の放送受信装置部のグラフィックス信号処理部５ａにて生成されるＯＳＤの輝度や色などの画質、及び／または位置を補正するように制御される。
【００２８】
この動作により画面合成処理部６ａより出力される補正後第１ＯＳＤ第１合成輝度信号が図６に示したようになり、第１ＯＳＤの輝度は０．５×１／０．７５となる。この補正後第１ＯＳＤ第１合成輝度信号がスイッチ９を介してビデオ信号処理部４ｂに供給され、輝度調整係数０．７５を乗じて出力された補正後第１ＯＳＤ第２合成輝度信号は図７のようになり、第１ＯＳＤの輝度は０．５となる。このような動作により、第１ＯＳＤと第２ＯＳＤとの間に輝度の差を生じさせずに、放送受信装置部２において、映像信号の輝度調整を行うことを可能としている。
【００２９】
本実施形態では、テレビ画像を輝度調整する際の動作について説明したが、色差信号の調整、位置調整など、他の調整に関しても同様に、放送受信装置部２での調整値との逆数を、制御部間通信バス１１を介して制御部７ａに通知することにより、同様の効果が得られる。また、制御部７ｂから制御部７ａへの通知は、設定値の逆数に限定されるものではなく、設定値をそのまま通知することも可能である。
【００３０】
以下、図８を用いて、第２の実施形態を詳細に説明する。図８は、本発明に係るデジタル放送受信装置の第２の実施形態を示すブロック図である。この実施形態の構成は、図１に示した第１の実施形態の構成における第１の放送受信装置部１をデジタル放送受信部１００、第２の放送受信装置部２をアナログ放送受信部２００とした構成であり、図１における受信部３ａの代わりにチューナ３１ａ、伝送路復調処理部３２、多重分離処理部３３、及び復号処理部３４が接続され、図１における受信部３ｂの代わりにチューナ３ｂ、及びＮＴＳＣ復調部３５が接続されている。この部分以外の構成は図１と同じであり、動作も同じであるので、同一部分に同一符号を付してその説明を省略し、上記追加した部分の動作についてのみ説明する。
【００３１】
図８のデジタル放送受信部１において、チューナ部３１ａ、伝送路復調処理部３２、多重分離処理部３３、復号処理部３４、ビデオ信号処理部４ａ、グラフィックス信号処理部５ａ、画面合成処理部６ａは、システムバス８ａを介して制御部７ａにより制御される。同様にアナログ放送受信部２において、チューナ部３１ｂ、ＮＴＳＣ復調部３５、スイッチ部９、ビデオ信号処理部４ｂ、グラフィックス信号処理部５ｂ、画面合成処理部６ｂは、システムバス８ｂを介して制御部７ｂにより制御される。また、デジタル放送受信部１における制御部７ａとアナログ放送受信部２における制御部７ｂとは、制御部間通信バス１１で互いに接続されている。
【００３２】
本実施の形態における放送受信装置は、図８に示すように、放送網からの受信信号がデジタル放送受信部１のチューナ３１ａ、およびアナログ放送受信部２のチューナ３１ｂに入力される。
【００３３】
デジタル放送受信部１において、チューナ３１ａは選局及び、検波処理を施し、処理後の出力は伝送路復調処理部３２に供給される。伝送路復調処理部３２はデジタル復調及び、誤り訂正処理を施し、符号化された映像／音声信号および番組関連情報等が多重化された信号が多重分離処理部３３に供給される。多重分離処理部３３は、多重化信号について分離処理を施し、番組関連情報は制御部７ａに設置されているメモリの専用領域に取り込まれ、符号化映像／音声信号は復号処理部３４に供給される。復号処理部３４は、符号化映像／音声信号の復号処理を施し、復号映像信号は、ビデオ信号処理部４ａに供給される。
【００３４】
アナログ放送受信部２において、チューナ３１ｂは選局及び、検波処理を施し、処理後の出力はＮＴＳＣ復調部３５に供給される。ＮＴＳＣ復調部３５はＮＴＳＣ信号の復調処理を施し、映像信号をスイッチ９に供給する。
【００３５】
スイッチ９はデジタル放送受信部１より供給される合成信号と、ＮＴＳＣ復調部３５から供給された映像信号を選択することができる。この選択は制御部７ｂにより制御され、アナログ放送を視聴する場合はＮＴＳＣ復調部３５から供給される信号を、デジタル放送を視聴する場合はデジタル放送受信部１における画面合成処理部６ａから供給される合成信号を選択する。
【００３６】
以下、第１の実施の形態と同じ動作を行うことにより、以上の動作により、デジタルＯＳＤとアナログＯＳＤとの間で、例えば、輝度、色差、位置など、差を生じさせずに、アナログ放送受信装置部２において、映像信号の調整を行うことを可能としている。
【００３７】
本発明において、ビデオ信号処理部、グラフィックス信号処理部、スイッチ、画面合成処理部の構成は、本実施形態に示した構成に限定されるものではない。また、アナログ放送受信部からデジタル放送受信部にアナログ合成信号が供給される構成であっても、アナログ放送受信部における制御部からデジタル放送受信部における制御部に設定値の逆数或いは設定値などを通知することにより、本発明を実施することが可能である。
【００３８】
以上のように本発明によれば、テレビ画像の調整時に、デジタル放送受信部を制御するＣＰＵとアナログ放送受信部を制御するＣＰＵとの通信を増加させずに、デジタルＯＳＤとアナログＯＳＤとの間に、輝度情報、色情報、位置情報などの差異を生じさせないデジタル放送受信装置を提供することができる。従って、デジタルＯＳＤ、アナログＯＳＤともに、見やすい状態で画面テレビ画像と合成して表示することが可能となる。
【００３９】
【発明の効果】
本発明によれば、見やすいＯＳＤ表示が可能な放送受信装置を提供できる。
【図面の簡単な説明】
【図１】本発明に係る放送受信装置の第１の実施形態を示すブロック図。
【図２】第１の実施形態におけるテレビ画像の輝度信号を示す図。
【図３】第１の実施形態における第１ＯＳＤ第１合成輝度信号を示す図。
【図４】第１の実施形態における第２ＯＳＤ第１合成輝度信号を示す図。
【図５】第１の実施形態における補正無し第１ＯＳＤ第２合成輝度信号を示す図。
【図６】第１の実施の形態における補正後第１ＯＳＤ第１合成輝度信号を示す図。
【図７】第１の実施の形態における補正後第１ＯＳＤ第２合成輝度信号を示す図。
【図８】本発明に係る放送受信装置の第２の実施形態を示すブロック図。
【符号の説明】
１…第１の放送受信装置部、２…第１の放送受信装置部、３ａ，３ｂ…受信部、
４ａ，４ｂ…ビデオ信号処理部、５ａ，５ｂ…グラフィックス信号処理部、
６ａ，６ｂ…画面合成処理部、７ａ，７ｂ…制御部、
８ａ，８ｂ…システムバス、９…スイッチ、１０…表示装置、
１１…制御部間通信バス、１００…デジタル放送受信部、
２００…アナログ放送受信部、３１ａ，３１ｂ…チューナ部、
３２…伝送路復調処理部、３３…多重分離処理部、３４…復号処理部、
３５…ＮＴＳＣ復調部、３０１…水平走査期間、３０２…水平帰線期間、
３０３…水平同期信号、３０４…輝度、３０５，３０６…ＯＳＤ表示期間。
【図１】
2005020649.tif 000003
【図２】
2005020649.tif 000004
【図３】
2005020649.tif 000005
【図４】
2005020649.tif 000006
【図５】
2005020649.tif 000007
【図６】
2005020649.tif 000008
【図７】
2005020649.tif 000009
【図８】
2005020649.tif 000010